(57)【要約】【課題】ＩＣタグが埋め込まれた原稿や用紙を用いて、原本保証レベルの向上を図ることができ、セキュリティを強化できる情報記録装置及び画像処理装置等を提供する。【解決手段】複数のＩＣタグＴが付着された用紙を所定の分割数に分割して複数の領域を設定する領域設定手段１１と、前記設定された各領域内のＩＣタグＴに対して、同じ情報を書き込む情報書込手段１８を備えている。この用紙を原稿として用い、例えば全ての領域でＩＣタグＴの情報を読み取ることができた場合にのみ原稿のコピーを許可すること等により、原本保証レベルを向上できる【選択図】  図３
2007206916.tif 000002
【特許請求の範囲】
【請求項１】
複数のＩＣタグが付着された用紙を所定の分割数に分割して複数の領域を設定する領域設定手段と、
前記設定された各領域内のＩＣタグに対して、同じ情報を書き込む情報書込手段と、
を備えたことを特徴とする情報記録装置。
【請求項２】
異なる領域のＩＣタグに書き込まれる情報は、少なくとも一部が相互に異なる情報である請求項１に記載の情報記録装置。
【請求項３】
異なる領域のＩＣタグに書き込まれる情報には、共通情報として、前記分割数に関する情報が含まれている請求項１および２に記載の情報記録装置。
【請求項４】
前記分割数は、原本保証レベルの高さ程度、セキュリティレベルの高さ程度もしくはＩＣタグに書き込まれる情報量の大きさ程度、あるいはそれらの組み合わせに応じて変更可能である請求項１〜３のいずれかに記載の情報記録装置。
【請求項５】
前記領域設定手段は、ユーザによって入力された前記分割数に基づいて領域を設定する請求項１〜４のいずれかに記載の情報記録装置。
【請求項６】
複数のＩＣタグが付着されると共に、複数の領域に分割され、かつ同一の領域内に存在するＩＣタグについては同一の情報が書き込まれた原稿の画像を読み取る画像読取手段と、
読み取られた画像データについて、指定されたジョブを実行するジョブ実行手段と、
前記原稿の各領域内に存在するＩＣタグのうちの少なくとも一つから、ＩＣタグに書き込まれた情報の読み取りが可能で、かつすべての領域においてＩＣタグに書き込まれた情報の読み取りが可能な情報読取手段と、
前記情報読取手段により前記ＩＣタグから読み取った情報の読み取り結果及び／または読み取り内容に応じて、前記ジョブ実行手段によるジョブ実行を制御する制御手段と、
を備えていることを特徴とする画像処理装置。
【請求項７】
前記制御手段によるジョブの実行制御は、ジョブの実行を許可するか禁止するかに関する制御である請求項６に記載の画像処理装置。
【請求項８】
前記ジョブは、送信ジョブ、プリントジョブおよび保存ジョブのいずれかである請求項６または７に記載の画像処理装置。
【請求項９】
前記制御手段は、分割された領域の少なくとも一つにおいて、情報読取手段によりいずれのＩＣタグからの情報も読み取られなかったときは、ジョブの実行を禁止する請求項６に記載の画像処理装置。
【請求項１０】
前記制御手段は、分割されたすべての領域において、情報読取手段により少なくとも１つのＩＣタグの情報が読み取られた場合は、ジョブの実行を許可する請求項６に記載の画像処理装置。
【請求項１１】
前記制御手段は、分割されたすべての領域において、情報読取手段により少なくとも１つのＩＣタグの情報が読み取られた場合であっても、ＩＣタグに書き込まれた情報に基づいてジョブの実行を制御する請求項６に記載の画像処理装置。
【請求項１２】
前記制御手段は、前記ＩＣタグに書き込まれた領域分割に関する情報に基づいて、各領域内においてＩＣタグの情報が読み取られたか否かを判断する請求項９〜１１のいずれかに記載の画像処理装置。
【請求項１３】
前記ＩＣタグに書き込まれた情報には、ジョブ実行を許可するための認証情報、原本保証情報もしくはジョブ実行可能情報の少なくともいずれかが含まれる請求項６に記載の画像処理装置。
【請求項１４】
前記ＩＣタグには、ジョブ実行を許可するための許可個数に関する許可個数情報が書き込まれており、
前記制御手段は、分割された領域のうち前記許可個数以上の個数の領域において、情報読取手段により少なくとも一つのＩＣタグの情報が読み取られた場合にジョブの実行を許可する請求項６に記載の画像処理装置。
【請求項１５】
前記ジョブ実行手段が、原稿の画像を複数個のＩＣタグが付着された用紙に形成する画像形成手段であり、
前記用紙のＩＣタグに情報を書き込むための情報書込手段を備え、
前記用紙に付着されたＩＣタグの個数が、前記原稿の領域分割数を確保できる個数に達していない場合には、前記画像形成手段による画像形成を禁止するか、あるいは画像形成を許可しても前記情報書込手段により前記用紙のＩＣタグに書き込まれる情報を制限する制御手段と、
を備えている請求項６に記載の画像処理装置。
【請求項１６】
複数のＩＣタグが付着された用紙を複数の領域に分割するための分割数を設定するステップと、
前記設定された分割数に分割された各領域内のＩＣタグに対して、同じ情報を情報書込手段に書き込ませるステップと、
をコンピュータに実行させるための情報記録処理プログラム。
【請求項１７】
複数のＩＣタグが付着されると共に、複数の領域に分割され、かつ同一の領域内に存在するＩＣタグについては同一の情報が書き込まれた原稿の画像を画像読取手段に読み取らせるステップと、
読み取られた画像データについて、指定されたジョブジョブ実行手段に実行させるステップと、
前記原稿の各領域内に存在するＩＣタグのうちの少なくとも一つから、ＩＣタグに書き込まれた情報の読み取りを情報読取手段に行わせると共に、すべての領域においてＩＣタグに書き込まれた情報の読み取りを行わせるステップと、
前記ＩＣタグから読み取った情報の読み取り結果に応じて、前記ジョブ実行手段によるジョブ実行を制御するステップと、
をコンピュータに実行させるための画像処理プログラム。
【発明の詳細な説明】
【技術分野】
【０００１】
この発明は、用紙に付着されたＩＣタグに情報を書き込む情報記録装置、この情報記録装置によりＩＣタグに情報を書き込まれた原稿の画像を読み取ってジョブを行う、ＭＦＰ（Multi Function Peripherals) などの画像処理装置、前記情報記録装置及び画像処理装置のコンピュータに情報記録処理及び画像処理を実行させるための情報記録処理プログラム及び画像処理プログラムに関する。
【背景技術】
【０００２】
近年、会社やオフィスなどでは、セキュリティ強化の意識が高まる中、文書などについてそれが原本であることの保証が求められる機会が多くなってきている。このため、前記ＭＦＰなどの画像処理装置においても、原本保証機能などの高機能化の要求が高まっている。
【０００３】
そのような状況下で、従来、所定の画像領域毎にそれぞれ認証情報を埋め込み、その認証情報を基にして、各領域毎の画像処理を決定するようにした技術が開示されている（例えば特許文献１）。
【０００４】
しかし、この技術は、認証情報の埋め込みなどが比較的面倒で、扱いにくいという問題がある。
【０００５】
ところで、最近では、バーコードなどに代わって、ＩＣタグを各種商品に埋設し、ＲＦＩＤ（Radio Freqency Identification ）方式により、ＩＣタグに情報を非接触（無線）で書き込んだり、情報を読み込むことが行われるようになってきており、このＩＣタグを用紙に埋設すれば、種々の管理が簡単に行えることになる。
【特許文献１】特開２００４−２４１９３８号公報
【発明の開示】
【発明が解決しようとする課題】
【０００６】
ところが、前記ＩＣタグを用いる場合、原本の保証やセキュリティを確保をするために、具体的にＩＣタグをどのように活用すればよいのかといったことが未だ十分には検討されていないのが実情であり、比較的簡単な構成であって、ＩＣタグを最適に活用できる装置の実施化が望まれている。
【０００７】
この発明は、上記実情に鑑みてなれたものであり、ＩＣタグが埋め込まれた原稿や用紙を用いて、原本保証レベルの向上を図ることができ、セキュリティを強化できる情報記録装置及び画像処理装置、並びに前記情報記録装置及び画像処理装置のコンピュータに情報記録処理及び画像処理を実行させるための情報記録処理プログラム及び画像処理プログラムを提供することを課題としている。
【課題を解決するための手段】
【０００８】
上記課題は、以下の手段によって解決される。
【０００９】
（１）複数のＩＣタグが付着された用紙を所定の分割数に分割して複数の領域を設定する領域設定手段と、前記設定された各領域内のＩＣタグに対して、同じ情報を書き込む情報書込手段と、を備えたことを特徴とする情報記録装置。
【００１０】
（２）異なる領域のＩＣタグに書き込まれる情報は、少なくとも一部が相互に異なる情報である前項１に記載の情報記録装置。
【００１１】
（３）異なる領域のＩＣタグに書き込まれる情報には、共通情報として、前記分割数に関する情報が含まれている前項１および２に記載の情報記録装置。
【００１２】
（４）前記分割数は、原本保証レベルの高さ程度、セキュリティレベルの高さ程度もしくはＩＣタグに書き込まれる情報量の大きさ程度、あるいはそれらの組み合わせに応じて変更可能である前項１〜３のいずれかに記載の情報記録装置。
【００１３】
（５）前記領域設定手段は、ユーザによって入力された前記分割数に基づいて領域を設定する前項１〜４のいずれかに記載の情報記録装置。
【００１４】
（６）複数のＩＣタグが付着されると共に、複数の領域に分割され、かつ同一の領域内に存在するＩＣタグについては同一の情報が書き込まれた原稿の画像を読み取る画像読取手段と、読み取られた画像データについて、指定されたジョブを実行するジョブ実行手段と、前記原稿の各領域内に存在するＩＣタグのうちの少なくとも一つから、ＩＣタグに書き込まれた情報の読み取りが可能で、かつすべての領域においてＩＣタグに書き込まれた情報の読み取りが可能な情報読取手段と、前記情報読取手段により前記ＩＣタグから読み取った情報の読み取り結果及び／または読み取り内容に応じて、前記ジョブ実行手段によるジョブ実行を制御する制御手段と、を備えていることを特徴とする画像処理装置。
【００１５】
（７）前記制御手段によるジョブの実行制御は、ジョブの実行を許可するか禁止するかに関する制御である前項６に記載の画像処理装置。
【００１６】
（８）前記ジョブは、送信ジョブ、プリントジョブおよび保存ジョブのいずれかである前項６または７に記載の画像処理装置。
【００１７】
（９）前記制御手段は、分割された領域の少なくとも一つにおいて、情報読取手段によりいずれのＩＣタグからの情報も読み取られなかったときは、ジョブの実行を禁止する前項６に記載の画像処理装置。
【００１８】
（１０）前記制御手段は、分割されたすべての領域において、情報読取手段により少なくとも１つのＩＣタグの情報が読み取られた場合は、ジョブの実行を許可する前項６に記載の画像処理装置。
【００１９】
（１１）前記制御手段は、分割されたすべての領域において、情報読取手段により少なくとも１つのＩＣタグの情報が読み取られた場合であっても、ＩＣタグに書き込まれた情報に基づいてジョブの実行を制御する前項６に記載の画像処理装置。
【００２０】
（１２）前記制御手段は、前記ＩＣタグに書き込まれた領域分割に関する情報に基づいて、各領域内においてＩＣタグの情報が読み取られたか否かを判断する前項９〜１１のいずれかに記載の画像処理装置。
【００２１】
（１３）前記ＩＣタグに書き込まれた情報には、ジョブ実行を許可するための認証情報、原本保証情報もしくはジョブ実行可能情報の少なくともいずれかが含まれる前項６に記載の画像処理装置。
【００２２】
（１４）前記ＩＣタグには、ジョブ実行を許可するための許可個数に関する許可個数情報が書き込まれており、前記制御手段は、分割された領域のうち前記許可個数以上の個数の領域において、情報読取手段により少なくとも一つのＩＣタグの情報が読み取られた場合にジョブの実行を許可する前項６に記載の画像処理装置。
【００２３】
（１５）前記ジョブ実行手段が、原稿の画像を複数個のＩＣタグが付着された用紙に形成する画像形成手段であり、前記用紙のＩＣタグに情報を書き込むための情報書込手段を備え、前記用紙に付着されたＩＣタグの個数が、前記原稿の領域分割数を確保できる個数に達していない場合には、前記画像形成手段による画像形成を禁止するか、あるいは画像形成を許可しても前記情報書込手段により前記用紙のＩＣタグに書き込まれる情報を制限する制御手段と、を備えている前項６に記載の画像処理装置。
【００２４】
（１６）複数のＩＣタグが付着された用紙を複数の領域に分割するための分割数を設定するステップと、前記設定された分割数に分割された各領域内のＩＣタグに対して、同じ情報を情報書込手段に書き込ませるステップと、をコンピュータに実行させるための情報記録処理プログラム。
【００２５】
（１７）複数のＩＣタグが付着されると共に、複数の領域に分割され、かつ同一の領域内に存在するＩＣタグについては同一の情報が書き込まれた原稿の画像を画像読取手段に読み取らせるステップと、読み取られた画像データについて、指定されたジョブジョブ実行手段に実行させるステップと、前記原稿の各領域内に存在するＩＣタグのうちの少なくとも一つから、ＩＣタグに書き込まれた情報の読み取りを情報読取手段に行わせると共に、すべての領域においてＩＣタグに書き込まれた情報の読み取りを行わせるステップと、前記ＩＣタグから読み取った情報の読み取り結果に応じて、前記ジョブ実行手段によるジョブ実行を制御するステップと、をコンピュータに実行させるための画像処理プログラム。
【発明の効果】
【００２６】
前項（１）に記載の発明によれば、複数のＩＣタグが付着された用紙が複数の領域に分割されているから、この用紙を原稿として用い、例えば全ての領域でＩＣタグの情報を読み取ることができた場合にのみ原稿のコピーを許可すること等により、原本保証レベルを向上できるし、セキュリティの強化を図ることができる。しかも、各領域内のＩＣタグに対しては同じ情報が書き込まれるから、各領域内では全てのＩＣタグから情報を読み取る必要もなく、効率がよい。
【００２７】
前項（２）に記載の発明によれば、異なる領域のＩＣタグに書き込まれる情報は、少なくとも一部が相互に異なる情報であっても良いから、その領域における原稿の画像データ等を書き込むことが可能である。
【００２８】
前項（３）に記載の発明によれば、異なる領域のＩＣタグに書き込まれる情報には、共通情報として、前記分割数に関する情報が含まれているから、いずれか１個のＩＣタグから分割数に関する情報を容易に取得することができる。
【００２９】
前項（４）に記載の発明によれば、原本保証レベルの高さ程度、セキュリティレベルの高さ程度もしくはＩＣタグに書き込まれる情報量の大きさ程度、あるいはそれらの組み合わせに応じて変更可能であるから、状況に応じた分割数の設定が可能となり、便利で使い勝手がよい。
【００３０】
前項（５）に記載の発明によれば、ユーザが入力した分割数に基づいて領域が設定されるから、分割数に関してユーザの意図を反映させることができる。
【００３１】
前項（６）に記載の発明によれば、ＩＣタグから読み取った情報の読み取り結果及び／または読み取り内容に応じて、ジョブ実行手段によるジョブ実行を制御することができる。
【００３２】
前項（７）に記載の発明によれば、ＩＣタグから読み取った情報の読み取り結果及び／または読み取り内容に応じて、ジョブ実行の許可あるいは禁止を制御することができる。
【００３３】
前項（８）に記載の発明によれば、ＩＣタグから読み取った情報の読み取り結果及び／または読み取り内容に応じて、送信ジョブ、プリントジョブもしくは保存ジョブの実行が制御される。
【００３４】
前項（９）に記載の発明によれば、分割された領域の少なくとも一つにおいて、いずれのＩＣタグからの情報も読み取られなかったときは、ジョブの実行が禁止されるから、原本保証レベルを向上できるとともに、セキュリティの強化を図ることができる。
【００３５】
前項（１０）に記載の発明によれば、分割されたすべての領域において、少なくとも１つのＩＣタグの情報が読み取られた場合は、ジョブを実行することができる。
【００３６】
前項（１１）に記載の発明によれば、分割されたすべての領域において、情報読取手段により少なくとも１つのＩＣタグの情報が読み取られた場合であっても、ＩＣタグに書き込まれた情報に基づいてジョブの実行を制御することができるから、実情に応じた制御が可能となる。
【００３７】
前項（１２）に記載の発明によれば、ＩＣタグに書き込まれた領域分割に関する情報に基づいて、各領域内においてＩＣタグの情報が読み取られたか否かを的確に判断することができる。
【００３８】
前項（１３）に記載の発明によれば、ＩＣタグに書き込まれた、ジョブ実行を許可するための認証情報、原本保証情報もしくはジョブ実行可能情報の少なくともいずれかに基づいて、ジョブ実行を制御することができる。
【００３９】
前項（１４）に記載の発明によれば、ＩＣタグには、ジョブ実行を許可するための許可個数に関する許可個数情報が書き込まれており、分割された領域のうち前記許可個数以上の個数の領域において、情報読取手段により少なくとも一つのＩＣタグの情報が読み取られた場合にジョブの実行が許可されるから、許可個数を任意に設定することにより、原本保証レベル、セキュリティレベルの調整を図ることができる。
【００４０】
前項（１５）に記載の発明によれば、用紙に付着されたＩＣタグの個数が、原稿の領域分割数を確保できる個数に達していない場合には、画像形成手段による画像形成が禁止されるか、あるいは画像形成を許可しても用紙のＩＣタグに書き込まれる情報が制限されるから、原本保証のレベルあるいはセキュリティの維持が可能となる。
【００４１】
前項（１６）に記載の発明によれば、複数のＩＣタグが付着された用紙を複数の領域に分割するための分割数を設定し、設定された分割数に分割された各領域内のＩＣタグに対して、同じ情報を情報書込手段に書き込ませる処理を、コンピュータに実行させることができる。
【００４２】
前項（１７）に記載の発明によれば、ＩＣタグから読み取った情報の読み取り結果及び／または読み取り内容に応じて、ジョブ実行手段によるジョブ実行を制御する処理を、コンピュータに実行させることができる。
【発明を実施するための最良の形態】
【００４３】
以下、この発明の一実施形態を図面に基づいて説明する。
【００４４】
図１は、この発明の一実施形態に係る情報記録装置が内蔵された画像処理装置を備えた画像処理システムを示すブロック図である。
【００４５】
図１において、この画像処理システムは、ＩＣタグ（図２）Ｔに情報を記録する情報記録装置が内蔵された画像処理装置としてのＭＦＰ１と、ユーザ端末としての複数のパーソナルコンピュータ（ＰＣという）２・・・とを備えており、これらＭＦＰ１とＰＣ２・・・とは、有線／無線ＬＡＮのようなネットワーク３を介して接続されている。
【００４６】
前記ＭＦＰ１は、コピー機能、プリンタ機能、ファクシミリ機能、スキャン機能等を有する多機能デジタル複合機であり、この実施形態では、原稿ＰＡ（図２）、や印刷用紙ＰＢ（図１１、図１２）に埋設された複数のＩＣタグＴに対して、情報を書き込んだり、複数のＩＣタグＴが埋設された原稿ＰＡの画像を印刷したり、さらには、ＰＣ２・・・からの画像データを用紙ＰＢに印刷する。
【００４７】
前記ＰＣ２・・・は、ＭＦＰ１に画像データやジョブ条件などを送信するのに使用される。
【００４８】
ここで、ＩＣタグＴとは、周知のように、１ミリ以下のＩＣチップを搭載したダグ（荷札）のことであり、書き込まれた情報を保存することができ、搭載したアンテナを通じてＩＣタグリーダやＩＣタグライタにより、情報を読み書きすることができる。
【００４９】
ＩＣタグＴは、バッテリーを搭載しないのが普通であるから、ＩＣタグリーダ／ＩＣタグライタが発する電波を受信した際の、電磁誘導作用により発生する電流で駆動されるようになっている。勿論、ＩＣタグＴとして、複雑なアプリケーションを利用できるように、バッテリーを搭載したものもあり、それの採用も可能である。
【００５０】
原稿ＰＡに埋設されている複数のＩＣタグＴは、この例では、図２に示すように原稿ＰＡの全域に規則的に配列して埋設されている。勿論、複数のＩＣタグＴを不規則に分散配置したものであってもよい。
【００５１】
図３は、前記ＭＦＰ１の電気的構成を示すブロック図である。
【００５２】
図３において、ＭＦＰ１は、制御ユニット１１と、操作パネル１２と、画像処理部１３と、ネットワークインターフェイス（ＩＦ）１４と、記憶装置１５と、画像読取部１６と、印刷部１７と、情報書込部１８と、情報読取部１９とを備えている。
【００５３】
前記制御ユニット１１は、装置の全体を統括制御するものであり、ＣＰＵ１１１、このＣＰＵ１１１の動作ブログラムを格納したＲＯＭ１１２、ＣＰＵ１１１の動作時の作業領域を提供するＲＡＭ１１３等を備えている。
【００５４】
この制御ユニット１１は、ユーザの設定したジョブを印刷部１７等に実行させる機能の他に、各種の判断機能を有し、さらには前記情報読取部１９より原稿ＰＡ（図４）のＩＣタグＴから読み取った情報あるいは読み取り結果に応じて、ジョブの実行を制御する。具体的な制御の内容については後述する。
【００５５】
前記操作パネル１２は、各種入力を行うためのキー部や表示部（いずれも図示せず）などから構成されている。
【００５６】
前記画像処理部１３は、原稿画像の読取データなどに対して所定の画像処理を施すものである。
【００５７】
前記ネットワークＩＦ１４は、ＰＣ２・・・との間でデータの送受信を行うための通信手段として機能する。
【００５８】
前記記憶装置１５は、例えばハードディスクなどからなり、画像データやジョブ条件などの各種データ、あるいは各種プログラムなどを記憶するものである。
【００５９】
前記画像読取部１６は、原稿画像を読み取るスキャン機能を有するものである。
【００６０】
前記印刷部１７は、前記画像読取部１６で読み取られた画像データ、あるいはＰＣ２・・・から送信された画像データを、ユーザによって指定されたジョブ条件に基づいて、ＩＣタグＴが埋設された用紙ＰＢに印刷（複写）するものである。
【００６１】
前記情報書込部１８は、前記用紙ＰＢや原稿ＰＡに埋設されたＩＣタグＴに対して、情報を非接触で書き込むことができるＩＣタグライタにより構成されている。
【００６２】
ＩＣタグＴに書き込まれる情報としては、ジョブを許可するための情報、例えば図６、図７に示すように、認証情報、原本保証情報、あるいはジョブ実行可能情報などがある。
【００６３】
前記情報読取部１９は、前記用紙ＰＡに埋設されて、情報が書き込まれたＩＣタグＴの情報を非接触で読み取るＩＣタグリーダにより構成されている。
【００６４】
この実施形態で用いられる原稿ＰＡは、図４及び図５に示すように、複数（図４では１２個）の領域Ｒに分割されている。図４の例では１２個の領域Ｒに分割した例を示し、図５の例では４個の領域Ｒに分割した例を示している。そして、各領域Ｒには、それぞれ複数個（図４では４個、図５では１２個）のＩＣタグＴが存在している。
【００６５】
前記原稿ＰＡの各ＩＣタグＴには、領域Ｒに関係なく、図６に示すような共通の情報が書き込まれている。図６の例では、共通の情報として、領域Ｓの分割数、作成者、ユーザ権限、複写可能条件および複写可能モードなどが示されている。
【００６６】
前記ユーザ権限は、ジョブの実行を許可するための認証情報であり、ユーザ権限を付与されたユーザに対してのみ、ジョブの実行が許可される。
【００６７】
前記複写可能条件とは、複写を許可する条件であり、原本保証情報として機能する。例えば複数の分割領域Ｒの全てにおいて、その領域に存在するＩＣタグＴのうちの少なくとも１つのＩＣタグＴから、情報を読み取ることができた場合にのみ、原稿ＰＡに記載されている画像を複写を可能とするといった条件である。従って、この条件を厳しく設定することにより、原本保証レベルを高く設定できる。図６に示した例では、１２の領域の全てにおいて、その領域に存在する少なくとも１つのＩＣタグＴから情報を読み取ることができた場合、即ち１２領域で原本保証確認がとれた場合にのみ、原稿ＰＡに記載されている画像の複写が許可されるものとなされている。逆に言えば、１２の領域のいずれかにおいて、その領域に存在するいずれのＩＣタグＴからも情報を読み取ることができなかった場合には、複写が拒否されるものとなされている。なお、複写許可を得るための情報読み取り可能領域の数（許可個数）は、必ずしも全領域数に限定されることはなく、原本保証レベルの程度に応じて適宜設定すればよい。
【００６８】
前記複写可能条件は、ジョブ実行可能情報であり、この条件で規定されたモードの複写のみが許可される。
【００６９】
さらに、各ＩＣタグＴには、図６に示した共通情報のみならず、異なる領域Ｒごとに、図７に示すように、個別の情報が書き込まれている。この個別情報は、同じ領域Ｒに存在しているＩＣタグＴについては同じ個別情報が書き込まれている。図７の例では、解像度、カラーモード、領域Ｒの番号、その領域Ｒ内で原稿に表示されているテキストデータや図面データなどが示されている。
【００７０】
ＩＣタグＴに書き込まれる前記共通情報や個別情報の設定は、ユーザがＰＣ２・・・から行っても良いし、ＭＦＰ１の操作パネル１２から行っても良い。
【００７１】
なお、前記ＩＣタグＴに対して非接触で情報の書き込み及び読み取りを行うから、分割数が多く分割領域Ｒが高密度になると、領域Ｒの境界近くのＩＣタグＴがいずれの領域に属しているのか、区別がつきにくくなることもあるが、この実施形態では、すべてのＩＣタグＴの情報を必要とすることなく、各領域Ｒで少なくとも１つのＩＣタグＴから情報が読み取れればよいので、支障はない。
【００７２】
このように、この実施形態では、原稿ＰＡを複数の領域Ｒに分割するとともに、原稿ＰＡに埋設された各ＩＣタグＴに共通情報として複写可能条件が設定されているから、分割数を多くし複写可能条件を厳しくすることで、原本保証レベルを高めることができる。例えば、図４に示したように１２分割した場合と、図５のように４分割した場合とでは、複写可能条件が、全ての領域で情報を読み取ることができた場合のみの設定となされていれば、図４の１２分割の方が原本保証レベルが高くなる。また、原稿ＰＡの一部が破損等しているような場合にも、１２分割した場合の方が、少なくとも一つの領域ＲにおいてＩＣタグＴから情報を読み取ることができない確立が高くなるから、セキュリティも強化できる。また、分割領域Ｒ内における原稿のテキストデータや図形データを、個別情報としてＩＣタグＴに記憶させる場合、分割数が少ないと、領域Ｒの面積大きくなり個別情報のサイズも大きくなる。
【００７３】
このため、分割数は、原本保証レベルの高さ程度、セキュリティレベルの高さ程度もしくはＩＣタグに書き込まれる情報量の大きさ程度、あるいはそれらの組み合わせ内容の程度に応じて、ユーザが適宜設定し、ＰＣ２からあるいはＭＦＰ１の操作パネル１２からＭＦＰ１へ入力すればよい。
【００７４】
次に、図４及び図５に示したような原稿ＰＡを作成する場合のＭＦＰ１の処理を、図８のフローチャートに基づいて説明する。この処理は、ＭＦＰ１の制御ユニット１１におけるＣＰＵ１１１が、ＲＯＭ１１２等の記録媒体に記録された動作プログラムに従って動作することにより実行される。
【００７５】
まず、ステップＳ０１で、ユーザによって原稿作成指示がなされたかどうかを判断し、指示がなされなければ（ステップＳ０１でＮＯ）、そのまま処理を終了する。指示がなされると（ステップＳ０１でＹＥＳ）、ステップＳ０２で、分割数に関する情報を含む共通情報及び個別情報の設定指示（入力）がユーザによってなされたかどうかを判断する。共通情報及び個別情報の設定は、前述したように、ユーザがＰＣ２から、あるいは操作パネル１２から行えばよい。
【００７６】
共通情報及び個別情報の設定指示がユーザによってなされなければ（ステップＳ０２でＮＯ）、なされるまで待つ。設定指示がなされると（ステップＳ０２でＹＥＳ）、ステップＳ０３で、ＣＰＵ１１１は印刷部１７を介して印刷を開始し、図示しない給紙トレイから、複数のＩＣタグＴが埋設された用紙を給紙する。
【００７７】
次いで、ステップＳ０４で、ＣＰＵ１１１は、ステップＳ０４で、入力された共通情報の分割数に基づいて領域Ｒを設定したのち、ステップＳ０５で、情報書込部１８を動作させて、搬送中の用紙のＩＣタグＴに前記共通情報及び個別情報を書き込む。共通情報は、全てのＩＣタグＴに書き込まれ、個別情報は各領域Ｒ毎に異なる内容のものとして書き込まれる。
【００７８】
次いで、ステップＳ０６で、印刷部１７を介して用紙にデータを印刷する。印刷されるデータは、画像読取部１６で読み取られた他の原稿の画像データであっても良いし、ＰＣ２から送信されたプリントデータであっても良いし、記憶装置１５に保存されていたデータであっても良い。
【００７９】
こうして作成された原稿ＰＡの画像を用紙に複写する際に、ＭＦＰ１で行われる処理を図９のフローチャートを参照して説明する。この処理も、ＭＦＰ１の制御ユニット１１におけるＣＰＵ１１１が、ＲＯＭ１１２等の記録媒体に記録された動作プログラムに従って動作することにより実行される。
【００８０】
図９において、ステップＳ１０１では、ユーザが操作パネル１２から入力した認証情報に基づいてユーザ認証を行い、ステップＳ１０２では、画像読取部１６を介して原稿ＰＡの画像を読み取る。ステップＳ１０３では、情報読取部１９を介して、原稿ＰＡにおける複数の分割領域ＲのＩＣタグＴの情報を読み取る。
【００８１】
ステップＳ１０４では、読み取った原稿ＰＡの画像データについて、画像形成を許可するか否かの判断を行い、画像形成を許可する場合には（ステップＳ１０４で「許可」）、ステップＳ１０５で画像形成処理を行ったのち、本処理を終了する。画像形成を許可しない場合は（ステップＳ１０４で「不許可」）、そのまま終了する。
【００８２】
つぎに、画像形成の許可／不許可の判断処理（ステップＳ１０４）のサブルーチンを、図１０のフローチャートを参照して説明する。
【００８３】
図１０において、ステップＳ２０１では、ユーザの認証情報と、原稿ＰＡのＩＣタグＴから読み込んだユーザ権限を比較し、その権限が認証されたユーザに付与されているものか否かを判断し、その権限が認証されたユーザに付与されていれば（ステップＳ２０１で「許可」）、ステップＳ２０２に進む。その権限が認証されたユーザに付与されていなければ（ステップＳ２０１で「不許可」）、ステップＳ２０４では、画像形成不許可と判断し、リターンする。従って、この場合は、図９のフローチャートに戻って、処理を終了することになる。
【００８４】
ステップＳ２０２では、原稿ＰＡのＩＣタグＴから読み込んだ情報である複写条件を確認し、１ページ毎（複数ページのセット毎でも良い）に複写条件を満たしているか否かを判断し、複写条件を満たしている場合（ステップＳ２０２で「許可」）、ステップＳ２０３２では、画像形成許可の判断をしたのち、リターンする。複写条件を満たしていない場合は（ステップＳ２０２で「不許可」）、ステップＳ２０４で画像形成不許可の判断をしたのち、リターンする。
【００８５】
つぎに、図９のステップＳ１０５の画像形成処理のサブルーチンを、図１１のフローチャートを参照して説明する。
【００８６】
図１１において、ステップＳ３０１では、情報読取部１９により、画像形成する用紙ＰＢ（図１２及び図１３に示す）に埋設されているＩＣタグＴの個数情報を読み込む。この個数情報は、ユーザによって入力されても良いし、用紙ＰＢのＩＣタグＴに書き込まれた個数情報を、用紙ＰＢの給紙口近傍に情報読取部を設けて読み取っても良い。
【００８７】
次に、ステップＳ３０２で、画像形成する用紙ＰＢのＩＣタグＴの個数が原稿ＰＡのＩＣタグＴの個数以上であるか否かを判断する。つまり、画像が形成される用紙ＰＢにおいて、原稿ＰＡで設定されている分割数と同じ領域分割が可能か否かについて判断する。
【００８８】
画像形成される用紙ＰＢのＩＣタグＴの個数が原稿ＰＡのＩＣタグＴの個数以上であれば（ステップＳ３０２でＹＥＳ）、画像形成される用紙ＰＢにおいて、原稿ＰＡと同じ領域分割が可能であるとして、ステップＳ３０３に進む。画像形成する用紙ＰＢのＩＣタグＴの個数が原稿ＰＡのＩＣタグＴの個数未満であれば（ステップＳ３０２の判定がＮＯ）、画像形成される用紙ＰＢにおいて、原稿ＰＡと同じ領域分割が不可能であるとして、ステップＳ３０６に進む。
【００８９】
ステップＳ３０３では、用紙ＰＢへの画像形成の許可を設定し、ステップＳ３０４で、印刷部１７を介して画像形成を行い、ステップＳ３０５で、画像が形成された用紙ＰＢのＩＣタグＴに、原稿ＰＡと同じ領域分割にして、原稿ＰＡのＩＣタグＴから読み取った情報を情報書込部１８により書き込み、リターンする。
【００９０】
一方、ステップＳ３０６では、画像形成する用紙ＰＢのＩＣタグＴの個数が予め設定されているしきい値以上か否かを判断する。つまり、ＭＦＰ１で規定されている最低限の領域分割が可能か否かについて判断する。画像形成する用紙ＰＢのＩＣタグＴの個数が予め設定されているしきい値未満であれば（ステップＳ３０６でＮＯ）、ＭＦＰ１で規定されている最低限の領域分割が不可能であるとして、ステップＳ３１０で、画像形成不許可を設定したのち、リターンする。従って、この場合は、用紙ＰＢに原稿ＰＡの画像を複写することはできない。
【００９１】
画像形成する用紙ＰＢのＩＣタグＴの個数が予め設定されているしきい値以上であれば（ステップＳ３０６でＹＥＳ）、ＭＦＰ１で規定されている最低限の領域分割が可能であるから、ステップＳ３０７で、画像形成する用紙ＰＢへの画像形成許可を設定し、ステップＳ３０８で、印刷部１７を介して画像形成を行う。ついで、ステップＳ３０９で、画像が形成された用紙ＰＢのＩＣタグＴに、原稿ＰＡよりも分割数の小さい（荒い）領域分割にして、原稿ＰＡのＩＣタグＴから読み取った情報に制限を付して、情報書込部１８により書き込んだのち、リターンする。
【００９２】
例えば、原稿ＰＡが図４に示すように１２領域に分割されたものである場合、用紙ＰＢに埋設されたＩＣタグＴが原稿ＰＡと同数以上である場合には、図１２に示すように、原稿ＰＡと同じく１２領域に分割され、原稿ＰＡのＩＣタグＴに書き込まれた情報と同じ情報が、用紙ＰＢの対応する各領域のＩＣタグＴに書き込まれる。即ち、図１４に共通情報を示すように、図６と同じ情報が書き込まれる。
【００９３】
これに対し、用紙ＰＢに埋設されたＩＣタグＴが、例えば図１３に示すように４個であり、予め設定されたしきい値を満たしている場合には、原稿ＰＡよりも小さい分割数で領域分割が行われる（図１３の例では４分割）。そして、図１５に示すように、原稿ＰＡのＩＣタグＴから読み取った情報に制限を付して、ＩＣタグＴに書き込まれる。図１５の例では、図６または図１４との比較により理解されるように、ユーザ権限、複写可能条件、複写可能モードが制限されている。
【００９４】
このような制限を加えることにより、原稿ＰＡの原本保証レベルを一定に保つことができるとともに、無制限の複写を抑制して一定のセキュリティを確保することができる。
【００９５】
以上、本発明の一実施形態を説明したが、本発明は上記実施形態に限定されることはない。
【００９６】
例えば、原稿の画像データを用紙ＰＢに画像形成する場合（プリントジョブ）を例に説明したが、原稿画像を読み取り、所定の記憶領域に記憶させる保存ジョブや、所定の宛先に画像データを送信する送信ジョブなどについても適用できる。例えば原稿の全ての領域Ｒにおいて少なくとも１個のＩＣタグＴから、情報の読み取りを行うことができた場合に、ジョブの保存や送信が可能となる、といった利用形態である。
【００９７】
また、分割された各領域に対して個別の認証を行えるようにすることで、セキュリティをさらに高めても良い。
【図面の簡単な説明】
【００９８】
【図１】この発明の一実施形態に係る情報記録装置が内蔵された画像処理装置を備えた画像処理システムを示すブロック図である。
【図２】複数のＩＣタグが埋設された原稿の説明図である。
【図３】画像処理装置の電気的構成を示すブロック図である。
【図４】複数のＩＣタグが埋設された原稿を複数の領域に分割した例の説明図である。
【図５】複数のＩＣタグが埋設された原稿を複数の領域に分割した別の例の説明図である。
【図６】原稿のＩＣタグに書き込まれる各領域で共通の情報例を示す表である。
【図７】用紙のＩＣタグに書き込まれる領域毎に異なる情報例を示す表である。
【図８】原稿作成時の処理を示すフローチャートである。
【図９】原稿の画像を複写する際の処理を示すフローチャートである。
【図１０】図９の画像形成許可判断処理のサブルーチンを示すフローチャートである。
【図１１】図９の画像形成処理のサブルーチンを示すフローチャートである。
【図１２】原稿と同じ領域分割数に領域分割された用紙の説明図である。
【図１３】原稿の領域分割数未満に領域分割された用紙の説明図である。
【図１４】用紙の領域分割数が原稿の領域分割数以上の場合に、書き込まれるＩＣタグ情報を示す表である。
【図１５】用紙の領域分割数が原稿の領域分割数未満の場合に、制限されて書き込まれるＩＣタグ情報を示す表である。
【符号の説明】
【００９９】
１          ＭＦＰ（画像処理装置）
１６        画像読取部
１７        印刷部（ジョブ実行手段）
１８        情報書込部
１９        情報読取部
ＰＡ        原稿
ＰＢ        用紙
Ｒ          分割領域
Ｔ          ＩＣタグ
【図１】
2007206916.tif 000003
【図２】
2007206916.tif 000004
【図３】
2007206916.tif 000005
【図４】
2007206916.tif 000006
【図５】
2007206916.tif 000007
【図６】
2007206916.tif 000008
【図７】
2007206916.tif 000009
【図８】
2007206916.tif 000010
【図９】
2007206916.tif 000011
【図１０】
2007206916.tif 000012
【図１１】
2007206916.tif 000013
【図１２】
2007206916.tif 000014
【図１３】
2007206916.tif 000015
【図１４】
2007206916.tif 000016
【図１５】
2007206916.tif 000017